(57)【要約】【課題】  靴に負担のかからないシューズキーパーを安価に提供する。【手段】  前足部、踵部、それを連結する連結棹から構成され、この三点の部品のそれぞれを射出成型による一体成型を可能にする形状にする。具体的には、靴の甲革爪先容部から履き口の内周面に沿うように湾曲され、靴の中底の爪先部からワイズ採寸部付近までが、靴の中底外淵に沿うように形成された前足部と、前足部に設けられた歯道と連結される連結棹を回動自在にするとともに、前足部に設けられた連結棹との連結部を複数列設又は、ベロ部とし、熱可塑性樹脂の可撓性を利用することにより、靴の長手方向のサイズ調整を可能とする。【選択図】図８
2009066413.tif 000002
【特許請求の範囲】
【請求項１】
靴の甲革爪先容部から履き口の内周面に沿うように湾曲され、靴の中底の爪先部からワイズ採寸部付近までが靴の中底外淵に沿うように成型された前足部と、当該前足部の内面の履き口部付近から爪先方向に向かって列設された複数のサイズ調整用歯道に長軸に沿って上下方向に回動可能に嵌合される連結棹と、当該前足部に連結される連結棹の逆端で連結される踵部からなることを特徴とするシューズキーパー。
【請求項２】
靴の甲革爪先容部から履き口の内周面に沿うように湾曲され、靴の中底の爪先部からワイズ採寸部付近までが靴の中底外淵に沿うように成型された前足部が履き口部から爪先部に向かって二本の切込みが設けられ、当該切込みにより形成されたベロ部は靴の内周面より小さく形成され、当該ベロ部に設けられた係止部に長軸に沿って上下方向に回動可能に嵌合される連結棹と、当該前足部に連結される連結棹の逆端で連結される踵部からなることを特徴とするシューズキーパー。
【請求項３】
靴の甲革爪先容部から履き口の内周面に沿うように湾曲され、靴の中底の爪先部からワイズ採寸部付近までが靴の中底外淵に沿うように成型された前足部が履き口部から爪先部に向かって二本の切込みが設けられ、当該切込みにより形成されたベロ部は靴の内周面より小さく形成され、当該ベロ部の履き口部付近から爪先方向に向かって列設された複数のサイズ調整用歯道に長軸に沿って上下方向に回動可能に嵌合される連結棹と、当該前足部に連結される連結棹の逆端で連結される踵部からなることを特徴とするシューズキーパー。
【請求項４】
踵部と連結棹は、長軸に沿って上下方向に回動可能に連結されたことを特徴とする請求項１ないし３のシューズキーパー。
【発明の詳細な説明】
【発明の詳細な説明】
【技術分野】
【０００１】  本願発明はシューズキーパーに関る。
【背景技術】
【０００２】  靴は足指及び足甲を覆う履物であり、その使用（靴を履いての歩行）により、靴底及び甲革（いわゆる「アッパー」のこと）が歩行による足指関節などの動きで変形する。その靴底及び甲革の変形を修正するために、履き終わって使用していない状態の靴の足が入る部分に容れるのが、シューズキーパーである。【０００３】  足の大きさ及び形状は、千差万別であり、以前は、個人の足に合わせて、靴も一点一点注文により作られていた。しかし、工業の発達及び人件費の高騰などの諸事情により、現在では、大量生産されたものが出回っている。
こうした大量生産のものであっても足の長手方向の寸法は、５ミリ刻みで作られ、また、横幅（足の小指の付け根と親指の付け根の周りの長さ）も６ミリ刻みでＤ、Ｅ、ＥＥ、などのワイズと呼ばれる表示により分かれている。
また、同じ製造元による同サイズ（長手サイズ及びワイズが同一）のものであってもラスト（釣り込み用木型）が異なれば、その内部の形状も異なる。【０００４】  したがって、シューズキーパーもそれぞれの靴に合わせたものを用いるのが好ましい。【０００５】  シューズキーパーは、上記のように、靴を使用していないときに用い、靴の主に甲革部分の形状を製造時の状態に保つものである。靴は使用すると、概ね靴底の爪先部分が上方に反り、それに伴い甲革のワイズ部分に横皺ができる。この横皺を伸ばすとともに、使用により足から出た汗による靴の湿気を取り除くのがシューズキーパーの主な役目である。【０００６】  しかし、上記のように靴のサイズは多様であり、ひとつのシューズキーパーで万人の靴に適用できるようにするには、創意工夫が必要であり、種々のシューズキーパーについての発明がなされている。【０００７】  上記のようにシューズキーパーの主な役割は、靴の使用により、爪先部分が上方に反り返った靴底の修正及びその靴底の反りにより生じたワイズ寸法部分付近に生じた甲革の横皺の伸ばしにある。つまり、使用して靴底が反り返った状態のときは、製造時の長手寸法より同寸法が短くなっている。そして、それを修正するためには、それぞれの靴の特に製造時の長手寸法に合ったシューズキーパーを靴内部に装着し、その反り及びそれに伴う横皺を伸ばす必要がある。【０００８】  種々の大きさ形状に対応させるためのシューズキーパーの創意工夫も上記長手寸法をそれぞれの靴に合わせることに主眼が置かれている。
そこで、まずは、市販されているシューズキーパーについての技術を掲げ、その後、特許公報などの先行技術文献記載のシューズキーパーの発明・考案を掲げつつ背景技術を述べる。【０００９】  市販のものは、小売価格一組千円程度のものから二万円近くするものまである。
安価なものは、靴甲部（靴の履き口から爪先にかけての部分）内面形状に沿って形成された前足部と、当該前足部履き口側に金属製の蔓巻ばねなどの可撓性のある部材が接続され、前足部と接続された逆端には、ボール状あるいは先端がドーム状のキャップが取り付けられている。当該金属製の蔓巻ばねなどの可撓性のある部材は、使用する靴の長手寸法よりかなり長く作られている。
上記シューズキーパーは、まず、前足部を靴内の甲部に挿入し、靴の履き口より外にのびる金属製の蔓巻ばねなどの可撓性のある部材及びその先端に取り付けられたボール状あるいは先端がドーム状のキャップを前記金属製の蔓巻ばねなどの可撓性のある部材を撓ませ、ボール状あるいは先端がドーム状のキャップを靴の踵部分に押入れて使用する。このように装着されたシューズキーパーは、撓みを復元しようとする蔓巻ばねなどの可撓性のある部材の復元力により、上反りした靴底及び甲革の皺を修正することが可能となる。
こうした可撓性のある部材の撓みの復元を利用したシューズキーパーは、構造も単純で部品点数も少ないことから安価で取り扱いも簡易であるが、長期間靴に装着しておくと、蔓巻ばねなどの可撓性のある部材の復元力により靴甲部の特に履き口付近の部材が伸びてしまい、スリッポンタイプの靴では、靴が使用時に脱げ易くなるなどの問題がある。
なお、当該シューキーパーの前足部は、より単価を抑えるためプラスティックで作られていることもあるが、この場合、射出成型の特性を考慮して甲革部分のみを板状に形成し、内底部分については、形成されず、靴内部の通気に役立っている。
以下このタイプのシューズキーパーを本明細書において「可撓式シューズキーパー」という。【００１０】  つぎに、市販でよく見られるものに前足部と踵部からなり、それらが、調整棹で接続されているというものがある。この調整棹で前足部と踵部が接続され、前足部との接続は回動自在となっている。
このタイプのものの前足部は、概ね木製で、ラストに似た形状である（前足部については、前述の可撓部材を用いたものと同様に、靴の内面に沿った形状で形成される）。一方の踵部は、靴の踵部の内面に沿って形成されたものもあれば、単に棒状のものや棒状のものに取り外しのためのハンドルを取り付けたものなど種々のタイプのものがある。
調整棹は、蔓巻ばねなど伸縮材を内蔵したシリンダー形状のもので、この内蔵された蔓巻ばねの伸縮により、靴の長手寸法の調整を行う。このため調整棹に内蔵された伸縮材の力が強いと、靴の長手方向に内側から圧力がかかり、靴に負担がかかるという問題がある。特に踵部が棒状などの場合は、靴の踵内面の一点に力が集中するため、その部分の負担が大きくなる。ただし、可撓式シューズキーパーの問題点（靴の履き口付近の部材が伸びて、脱げ易くなるという問題）と比べれば、靴に対する負担は少ない。
なお、調整棹が前足部に回動自在に取り付けられるのは、シューズキーパーの靴への挿入及び取り外しを容易にするためである。
以下このタイプのシューズキーパーを本明細書において「伸縮式シューズキーパー」という。
なお、市場に出回っているもののほとんどが、この伸縮式シューズキーパーと前述の可撓式シューズキーパーである。【００１１】  上述の調整棹に伸縮材を内蔵したもののほか、調整棹と踵部の接続をねじ込みにし、踵部を回転させることにより長手寸法を調整するものもある。
踵部が上下左右のない棒状のものであれば、アナログ的なサイズ調整が可能になるが、靴の踵内面の形状に沿ったものなど上下の別があるものについては、３６０度、左右の別があるものについては、１８０度のねじ込みを必要とし、アナログ的な調整は難しい。ただし、ねじのピッチを細かくすることによりある程度は克服でき、伸縮式シューズキーパーの調整棹に内蔵された伸縮材が強力なときの問題よりは、靴への負担は少ない。
また、蔓巻ばねなどの伸縮材を内蔵させた調整棹と比べ、構造が簡単であるため、安価に製造できる。
以下このタイプのシューズキーパーを本明細書において「ねじ込み式シューズキーパー」という。【００１２】
【特許文献１】  上述のようにねじ込み式シューズキーパーは、アナログ的な調整が可能であるが、踵部の形状が上下左右がないものに限られるという欠点がある。これを克服し、踵部に上下左右があっても長手寸法についてのアナログ的な調整が可能なものに「実開平６−４６５０６」のシューズキーパーがある。  調整棹の変わりに長孔を設けた連結片とこの連結片が摺動できるようにしたスライド溝を踵部に設け、スライド溝に設けられたボルトを連結片の長孔に通し、長手寸法を調整し、ナットを締め込み、連結片と踵部を固定し、長手寸法を決めるというものである（以下実開平６−４６５０６に記載されたタイプのシューズキーパーを本明細書において「スライド式シューズキーパー」という）。
このスライド式シューズキーパーは、ねじ込み式シューズキーパーと異なり、前足部のみならず、踵部も靴に挿入した後に長手サイズの調整が可能な優れたものである。ただし、取り外す際に踵部を引き抜く勢いが余って、手の甲にボルトあるいはナットが当たり、傷を負うという問題もある。
また、ねじ込み式シューズキーパーと同様に、複雑な調整棹を用いないため、伸縮式シューズキーパーと比べて安価に製造できる。
連結片及びスライド溝等を底部側に設ければ、こうした問題は解決するも、スライド式シューズキーパーの利点である踵部を挿入した後のサイズ調整を損なうことになる。【００１３】  以上説明した可撓式シューズキーパー、伸縮式シューズキーパー、ねじ込み式シューズキーパー及びスライド式シューズキーパーのいずれも靴の長手寸法の調整に着目したものである。
既述のように、既製靴であっても長手寸法のほかワイズ別に作られており、また、同じサイズの靴であってもラストにより、甲の高さなども異なる。こうしたワイズの調整を目的としたものに、木製の前足部を縦割りにし、縦割りした面に蔓巻ばね及び支持ピンなどを用いたもの（伸縮式シューズキーパーの調整棹をワイズ調整に応用したもの）がある。【００１４】  主に市販のものを中心にシューズキーパーの先行技術をみてきたが、ここからは、特許公報等を中心に上記可撓式シューズキーパー、伸縮式シューズキーパー、ねじ込み式シューズキーパー及びスライド式シューズキーパー以外の寸法調整機構についての文献技術について述べる。【００１５】
【特許文献２】  まず公開実用新案公報の公開番号：実開平６−０１９５１８の「靴の保形具」の考案が挙げられる。この考案は、靴の保管、輸送又は販売陳列時に生じる靴の型崩れ防止を目的としたものであり、基本的には、可撓式シューズキーパーの範疇に属するものである。  一般の可撓式シューズキーパーと異なる点を挙げれば、一般の可撓式シューズキーパーが強力な蔓巻ばねを用い可撓及びその復元性を利用し、靴の使用による靴底の上反りを修正・矯正するのに対し、この考案では、熱可塑性合成樹脂で成型された「押付アーム」を使用する点に特徴がある。これは、可撓式シューズキーパーが靴の使用による変形を前提としているのに対し、この考案の目的は、靴の保管、輸送又は販売陳列時に生じる靴の型崩れという靴の使用者の購入以前の靴の変形を前提としているからである。
この考案の特徴を挙げれば、上記のように熱可塑性合成樹脂で成型された「押付アーム」を使用したこと、この「押付アーム」と熱可塑性合成樹脂で成型された前足部（この考案の明細書では「靴先保形体」）との接合を「靴先保形体」の甲部側内面に複数のサイズの調整用突起を爪先部に向かって列設し、この調整用突起に嵌合される連結孔を「押付アーム」に穿設し、長手寸法の調整を行うことである。
一般の可撓式シューズキーパーと比べさらに簡易に製造することができ、価格も安くできるなどの優れた考案である。ただし、上述のように、靴の使用以前の型崩れ防止を目的とする点において、本願発明の目的と異なる。【００１６】
【特許文献３】  つぎに挙げられるのは、公開実用新案公報の公開番号：実開平６−４４４０７の「靴の保形具」の考案である。  この考案の長手寸法のサイズ調整は、「連結板」と「アジャスタ」によるものであり、「連結版」に設けられた「係止突起」と「アジャスタ」に設けられた「切欠部」及び「係止爪」を係脱自在としたことによる。
「連結板」と「アジャスタ」が靴の長手方向で擦動するという点においてスライド式シューズキーパーの範疇に属するとも考えられる。この考案の「アジャスタ」は、ラックアンドピニオン（ｒａｃｋ  ａｎｄ  ｐｉｎｉｏｎ）のラック様のものであり、「アジャスタ」に設けられた「切欠部」は、ラックの歯道にあたる。スライド式シューズキーパーが「連結片」に穿設された「長孔」にボルトで係止するのに対し、この考案は、ラックの歯道（「切欠部」）に「連結版」に設けられた「係止突起」で係止させることから、サイズの調整は歯道のピッチによることになり、スライド式シューズキーパーのようにアナログ的なサイズ調整はできない。しかし、スライド式シューズキーパーでは、「連結片」並びにボルト及びナット、ボルトを固定する踵部など金属や厚みのある木材等で成型しなければならないが、実開平６−４４４０７に係る「靴の保形具」においては、すべての部品を射出成型によるプラスティックで製造することが可能であり、コストの面で優れている。スライド式シューズキーパーのみならず、可撓式シューズキーパー、伸縮式シューズキーパー及びねじ込み式シューズキーパーについてもすべての部品を射出成型によるプラスティックで製造することは困難であることから、この考案は既存のシューズキーパーと比べコストの面で優れているといえる。
なお、この考案では、連結板が、前足部（実開平６−４４４０７の明細書では、「フォーマー」）と回動自在に接続されている。【００１７】
【特許文献４】  登録実用新案公報の登録番号３０１２６８５に係る「靴保形具」の考案についても上記実開平６−４４４０７の「靴の保形具」の考案と同様の機構により長手方向のサイズ調整を行っている。  すなわち、「中間連結部材」（実開平６−４４４０７の「靴の保形具」の考案の「連結板」に相当）に設けられた「係合用突起」と「踵受部材」（実開平６−４４４０７の「靴の保形具」の考案の「アジャスタ」に相当）に複数列設された「嵌合孔」とにより長手方向のサイズ調整を行っている。
この登録実用新案に係る考案についても実開平６−４４４０７の「靴の保形具」の考案と同様にすべての部品を射出成型によるプラスティックで製造することが可能であり、コストの面で優れている。
なお、実開平６−４４４０７の「靴の保形具」の考案と同様に「中間連結部材」は前足部（登録番号３０１２６８５に係る「靴保形具」の明細書においては、「爪先部材」）に回動自在に接続されている。【００１８】
【特許文献５】  公開特許公報の公開番号：特開２００２−４５２１０の「靴収納ホルダー兼用靴形保形具」についても公開実用新案公報の公開番号：実開平６−４４４０７の「靴の保形具」及び登録実用新案（登録番号３０１２６８５）に係る「靴保形具」の考案と同様の機構により長手方向のサイズの調整を行っている。  すなわち、「靴踵部保形部」に列穿された係合部（円形の孔）に「略コの字形」で、端部が外に直角にあいた「調節杆」の端部を連結することにより長手方向のサイズの調整を行う。そして、前足部（特開２００２−４５２１０の「靴収納ホルダー兼用靴形保形具」に係る明細書においては、「靴先保形部」）と「調節杆」は、「コの字」の縦棒部分で回動自在に接続されている。
この発明についてもすべての部品を射出成型によるプラスティック部品で製造できる。【００１９】
【特許文献６】  公開特許公報の公開番号：特開２００３−０６１７１０の「簡易微調整機能を有する靴保存型の構造」に関する発明についても上述した先行文献技術と同様に、「歯道」に「調整部」を嵌合することにより、長手方向のサイズ調整をおこなう点で基本に同様の機構による技術といえる。しかし、この発明では、「歯道」が前足部（特開２００３−０６１７１０の「簡易微調整機能を有する靴保存型の構造」に係る明細書においては、「甲当て部」）に設けられている点で異なる。  なお、「甲当て部」と「踵当て部」は、「調整部」に回動自在に接続された「連結桿」で接続されている。
この発明についてもすべての部品を射出成型によりプラスティック部品で製造することが可能である。
以上説明した実開平６−４４４０７に係る「靴の保形具」の考案、登録実用新案公報の登録番号３０１２６８５に係る「靴保形具」の考案、特開２００２−４５２１０に係る「靴収納ホルダー兼用靴形保形具」の発明及び特開２００３−０６１７１０に係る「簡易微調整機能を有する靴保存型の構造」の発明を本明細書において「ラック式シューズキーパー」という。なお、実開平６−０１９５１８に係る「靴の保形具」の考案もこの「ラック式シューズキーパー」の範疇に含めることもできる。
【発明の開示】
【発明が解決しようとする課題】
【００２０】  可撓式シューズキーパーを除き、市場に出回っているシューズキーパー、すなわち、伸縮式シューズキーパー、ねじ込み式シューズキーパー及びスライド式シューズキーパーは、射出成型などの大量生産に向いておらず、安価に提供することが難しい。
また、可撓式シューズキーパーについては、大量生産も可能で安価に提供できるが、靴の履き口付近が伸び、靴が緩くなり、靴の使用時に靴が脱げ易くなるといった問題がある。
つまり、ラック式シューズキーパーの発明や考案は、可撓式シューズキーパーのように靴への負担をかけず、なおかつ、大量生産を可能とし、シューズキーパーを安価に提供することにあると考えられる。
本願発明も基本的にこのラック式シューズキーパー（請求項１）又は伸縮式シューズキーパー（請求項２）に属するものであり、ラック式シューズキーパー又は伸縮式シューズキーパーの構造を更に単純にし、より安価に提供することを目的とする（なお、請求項３は、ラック式シューズキーパー及び伸縮式シューズキーパーの併用型）。
より具体的には、部品点数の削減。これについては、前足部、踵部、それを連結する連結棹とし、この三点の部品のそれぞれを射出成型による一体成型を可能にする形状にすると伴に、背景技術で説明した従来の市販及び特許文献技術に記載されたシューズキーパーの基本機能を供えたものを提供することにある。
【課題を解決するための手段】
【００２１】  本願発明は上記課題を解決するため、靴の甲革爪先容部から履き口の内周面に沿うように湾曲され、靴の中底の爪先部からワイズ採寸部付近までが、靴の中底外淵に沿うように形成された前足部と、前足部に設けられた歯道と連結される連結棹は長軸に沿って上下方向に回動可能にするとともに、前足部に設けられた連結棹との連結部を複数列設又は、ベロ部とし、熱可塑性樹脂の可撓性を利用することにより、靴の長手方向のサイズ調整を可能とする。
【発明の効果】
【００２２】  本願発明は上記課題を解決できるほか、請求項２及び３記載の前足部にベロを設けることにより、長手方向のサイズのみならず、ワイズの調整も可能になる。また、木製ではなく熱可塑性樹脂で成型され、金属部品を用いることもないため、革靴の保形のみならず、洗濯をした布製運動靴などを干す際にも用いることができ、布製運動靴の洗濯の際の型崩れをも防止できる。
【実施例】
【００２３】  以下、本願発明の実施例を図面を参照しながら説明する。【００２４】  図１は、本願発明の実施例の底面図であり、図２は、図１のＡ−Ａ’断面図である。
まずは、図１及び図２に表した実施例について説明する。
本願発明のシューズキーパーは、前足部１、連結棹２、踵部３から構成される。
前足部１は、請求項１記載の前足部を採用した。
前足部１は、靴の甲革爪先容部から履き口の内周面に沿うように湾曲され、靴の中底の爪先部からワイズ採寸部付近までが、靴の中底外淵に沿うように射出成型により一体成型された熱可塑性樹脂でできている。
前足部１の内面の履き口部付近から爪先方向に向かって複数のサイズ調整用歯道１１が列設される。
連結棹２は、平面視で「略コの字状」となり、「コ」の横棒が長く形成され、先端が直角に外側に開いている。
連結棹２の軸断面は、円形で、サイズ調整用歯道１１に連結されると長軸に沿って上下方向に回動可能となる。
踵部３は、平面視で「馬蹄形」をしており、連結棹２との係止部３１が二つ設けられ、連結棹２と回動自在に連結される。
なお、図面をみていただければわかると思うが、本明細書の実施例はすべて靴の左右の別なく使用できるよう左右対照に形成されている。金型代のコストを削減するためである。【００２５】  図１及び図２では、前足部１と連結棹２は、サイズ調整用歯道１１の履き口側から二つ目の歯道に連結されている。
靴の長手方向のサイズが大きい場合には、履き口側に、靴の長手方向のサイズが小さい場合には、爪先側に連結させることにより長手方向のサイズの調整が可能になる。
また、踵部３と連結棹２も回動自在に連結されているため、靴への脱着が容易になる。【００２６】  つぎに、図３は、請求項３の前足部１の一実施例の底面図、図４は、図３のＡ−Ａ’断面図である。
前足部１は、靴の甲革爪先容部から履き口の内周面に沿うように湾曲され、靴の中底の爪先部からワイズ採寸部付近までが、靴の中底外淵に沿うように射出成型により一体成型され、履き口部から爪先部に向かって二本の切込みが設けられ、当該切込みにより形成されたベロ部１２は、靴の内周面より小さく形成され、当該ベロ部に履き口部付近から爪先方向に向かって複数のサイズ調整用歯道１１が列設されている。本実施例では、サイズ調整用歯道１１は、前足部の内面に列設されているが、連結棹２の回動を妨げなければ、外面に設けても良い。
たとえば、図１及び２記載の連結棹２を用いる場合に、「略コの字状」の「コの字」の横棒が通るように二本の切込みを設け、回動の妨げを回避するなどである。
ベロ部１２は、靴の内周面より小さく形成されている。前足部１は、熱可塑性樹脂で一体成型されており、熱可塑性樹脂の可撓性により、サイズ調整用歯道１１と連結棹２との連結による長手方向のサイズ調整をさらに細かくすることができる。【００２６】  図３及び４では、ベロ部１２を形成する切込みは、ワイズ採寸部より爪先側まで設けられている。これにより、長手方向のサイズ調整のみならず、ワイズ寸法の調整も可能になる。【００２７】  なお、請求項２記載の前足部１は、図３及び４記載の前足部１の実施例のサイズ調整用歯道１１の歯道を一つにした場合などである。
請求項２記載の前足部１についてもベロ部１２が設けられていることから熱可塑性樹脂の可撓性により、ある程度の長手方向のサイズ調整が可能となる。【００２８】  図５及び６は、本願発明の一実施例を記載したものであり、図５は、本実施例の平面図、図６は、図５のＡ−Ａ’断面図である。図１ないし４の実施例の前足部１に設けられたサイズ調整用歯道１１は、いわゆる雌型であるのに対し、本実施例では、サイズ調整用歯道１１は、いわゆる雄型である点で異なる。本実施例では踵部３の係止部３１も同様に雄型になっている。
これにより成型用金型においてスライドコア等を設けることなく成型が可能になり金型代を安価に抑えることができるのみならず成型時の金型の摺動不具合によるトラブルなども抑えることができる。
具体的に本実施例のサイズ調整用歯道１１を説明すれば、複数の円柱状の部材が靴の幅方向と平行に列設されている。
一方、連結棹は円筒状の両端に爪２１・２２が設けられており、爪は前足部１のサイズ調整用歯道１１又は踵部３の係止部３１に結合できるよういわゆる雌型になっている。【００２９】  図７及び８は、図５及び６の実施例のサイズ調整用歯道１１の列設状態の変形例を示したものであり、図７は、平面図、図８は、図７のＡ−Ａ’断面図である。
図５及び６の実施例と比べ連結棹２と前足部１との回動率は高くなり、また、連結棹２の爪の形状は２１及び２２で異ならないため、前足部１、連結棹２、踵部３の結合するときの利便性が図られる。【００３０】  図９及び１０は、図５及び６の実施例の係止部３１の変形例を示したものであり、図９は、平面図、図１０は、図９のＡ−Ａ’断面図である。
本実施例の係止部３１は、踵部３のカーブに沿って形成されている。
現在の靴は左右で形状が対照となっており、それぞれの靴の中心線は、爪先にいくに従って内側にブレているが、本実施例では、これに対応することができる。
なお、サイズ調整用歯道１１についても本実施例の係止部３１の形状を応用できることはいうまでもないことである。【００３１】  以上、実施例に基づき本願発明を説明したが、本願発明は上記実施例に何ら限定されるものではなく、本願発明の趣旨を逸脱しない範囲内で種々の改良変形が可能なことは容易に推察できることできるものである。
【図面の簡単な説明】
【図１】  図１は、本願発明の一実施例の底面図である。
【図２】  図２は、図１のＡ−Ａ’断面図である。
【図３】  図３は、請求項３の前足部の一実施例の底面図である。
【図４】  図４は、図３のＡ−Ａ’断面図である。
【図５】  図５は、本願発明の一実施例の平面図である。
【図６】  図６は、図５のＡ−Ａ’断面図である。
【図７】  図７は、本願発明の一実施例の平面図である。
【図８】  図８は、図７のＡ−Ａ’断面図である。
【図９】  図９は、係止部の一実施例の平面図である。
【図１０】  図１０は、図９のＡ−Ａ’断面図である。
【符号の説明】
１          前足部
２          連結棹
３          踵部
１１        サイズ調整用歯道
１２        ベロ部
２１・２２  爪
３１        係止部
【図１】
2009066413.tif 000003
【図２】
2009066413.tif 000004
【図３】
2009066413.tif 000005
【図４】
2009066413.tif 000006
【図５】
2009066413.tif 000007
【図６】
2009066413.tif 000008
【図７】
2009066413.tif 000009
【図８】
2009066413.tif 000010
【図９】
2009066413.tif 000011
【図１０】
2009066413.tif 000012